(57)【要約】      （修正有）【課題】スライドレール内底部に生じた摩耗によるプッシュ機能の失効を回避でき、使用寿命が長く、（押す寿命は500回以上）取付板の結構も容易なプッシュ型文房具のプッシュ構造を提供する。【解決手段】プッシュ型文房具のプッシュ構造は、取付板と、ボダンと、弾性部とを含み、弾性部は、スプリングと弾性ロッドとを含み、弾性ロッドは、上下方向に沿って、垂直に立設されて、ストッパーは、第一傾斜面と第二傾斜面を有して、第一傾斜面の傾斜方向が第二傾斜面の傾斜方向と同じで、第一傾斜面と第二傾斜面の下端部は、弾性ロッドの一側に位置して、第一傾斜面と第二傾斜面の上端部は、弾性ロッドの相対側に位置して、定位凹溝は、第一傾斜面と第二傾斜面の間で設けられて、弾性ロッドの上端部は、スライドレール内に位置している接触部を含む。【選択図】図１
0003213814.tif 000002
【実用新案登録請求の範囲】
【請求項１】
プッシュ型文房具のプッシュ構造であって、それは、取付板と、弾性部と、ボダンと、を含み、
前記取付板は、平移式の活動で文房具の筐体に設けられており、
前記弾性部は、取付設置を固定して、前記取付板の移動方向が、上下方向となって、
前記ボダンと取付板の上端端部は、相互に接続して、しかもボダンの部分は、文房具の筐体から伸びだして、前記取付板の正面上端或いは背面上端は、凹キャビティを凹設して、前記取付板は、前記凹キャビティ内に位置してストッパーを凸設して、前記ストッパーの外側は、前記凹キャビティの凹溝部壁と閉じた環状結構のスライドレールを形成して、前記ストッパー頂面の下に定位凹溝を設けており、
前記弾性部は、前記取付板の下移動について上下方向で変形を発生したスプリングと、前記取付板の下移動について左右方向で変形を発生した弾性ロッドとを含み、
前記取付板は、前記取付板の下移動に対応してスプリングの圧縮方式を制御して、前記スプリングと相互に接続して、
前記弾性ロッドは、上下方向に沿って、垂直に立設されて、
前記ストッパーは、前記ストッパーの両側で位置している第一傾斜面と第二傾斜面を有して、前記第一傾斜面の傾斜方向が前記第二傾斜面の傾斜方向と同じで、前記第一傾斜面の下端部と前記第二傾斜面の下端部は、前記弾性ロッドの一側に位置して、前記第一傾斜面の上端部と前記第二傾斜面の上端部は、前記弾性ロッドの相対側に位置して、
前記定位凹溝は、前記第一傾斜面の上端部と前記第二傾斜面の間で設けられて、前記弾性ロッドの上端部は、前記スライドレール内に位置してしかも前記取付板の下移動に対応してそれぞれに前記第一傾斜面と前記第二傾斜面と面と面でスライド接触を呈している接触部を含むことを特徴とする。
【請求項２】
前記取付板は、前記スライドレールの頂面に設けられて、下向きに前記定位凹溝へ向きのストッパーを凸設して、前記ストッパーの下端部は、前記定位凹溝に位置することを特徴とする請求項１に記載のプッシュ型文房具のプッシュ構造。
【請求項３】
前記ストッパーは、V字状の結構を呈することを特徴とする請求項２に記載のプッシュ型文房具のプッシュ構造。
【請求項４】
前記スプリングは、ねじりであり、前記ねじりは、文房具の筐体に設けられて固定して、前記取付板の上にねじりの第一アームの上方に位置されているが押合ブロックが凸設されて、前記ねじりの第二アームは、取付板の左右方向に沿って平行に設置されて、前記ねじりの第二アームの端部は、上向き延伸して、前記ねじりの第二アームと垂直に設置していた延伸アームを設けて、前記延伸アームは、前記弾性ロッドとなって、前記接触部は、クロスバーとなって、前記クロスバーは、前記延伸アームの上端部と垂直に設けられて、しかも、前記クロスバーは、取付板の前後方向に沿って、延伸して設けられることを特徴とする請求項１に記載のプッシュ型文房具のプッシュ構造。
【請求項５】
前記スプリングは、柱状なねじりであり、前記柱状なねじりは、取付板の上下方向に沿って、延伸して設置して、前記柱状なねじりは、文房具の筐体に設けられて固定して、前記取付板は、前記柱状なねじりの上端部に対応して設置されている押しブロックを凸設しており、前記柱状なねじりの下端部は、上向き延伸して、延伸アームを設けて、前記延伸アームは、前記弾性ロッドとなって、前記接触部は、クロスバーとなって、前記クロスバーは、前記延伸アームの上端部と垂直に設けられて、しかも、前記クロスバーは、取付板の前後方向の沿って、延伸して設けられることを特徴とする請求項１に記載のプッシュ型文房具のプッシュ構造。
【請求項６】
前記スプリングは、柱状なねじりであり、前記柱状なねじりは、取付板の上下方向に沿って、延伸して設置して、前記柱状なねじりは、文房具の筐体に設けられて固定して、前記取付板は、前記柱状なねじりの上端部に対応して設置されている押しブロックを凸設しており、前記弾性ロッドは、取付板の上下方向に延伸して設置したプラスチック弾骨となって、前記プラスチック弾骨の下端部は、文房具の筐体に固定されて、前記プラスチック弾骨の上端部は、接触ブロックを凸設してあり、前記接触ブロックは、前記接触部となって、前記接触ブロックには、前記第一傾斜面と対応して接触している第一ガイド傾斜面と前記第二傾斜面と対応して接触している第二ガイド傾斜面とを設けることを特徴とする請求項１に記載のプッシュ型文房具のプッシュ構造。
【請求項７】
前記スプリングは、柱状なねじりであり、前記柱状なねじりは、前記取付け板の下方に設置されて、しかも前記柱状なねじりの両端端部は、前記柱状なねじりの下端部に設置されて、前記柱状なねじりの第一端部は、文房具の筐体に対応して固定して、前記柱状なねじりの第二端部は、上向き延伸して延伸アームを有して、前記延伸アームは、前記弾性ロッドとなって、前記接触部は、クロスバーとなって、前記クロスバーは、前記延伸アームの上端部と垂直に設けられて、しかも、前記クロスバーは、取付板の前後方向に沿って、延伸して設けられることを特徴とする請求項１に記載のプッシュ型文房具のプッシュ構造。
【考案の詳細な説明】
【技術分野】
【０００１】
本考案は、プッシュ型文房具のプッシュ構造であって、特に、プッジュペンのペン先部或いは修正テープの押し口の伸縮を筐体に制御するプッシュ結構に関する。
【背景技術】
【０００２】
既存のプッシュ型文房具は、主にプッシュ型の自動ペンとプッシュ型の修正テープがある。押しボタンを通じて、プッシュ型の自動ペンのペン先端或いはプッシュ型の修正テープの押し口を筐体に伸縮させることができて、使用者は、使用しない時、プッシュ型の自動ペンのペン先端或いはプッシュ型の修正テープの押し口を筐体に伸縮したり収納したりするため、ダスト汚染を避けて、使用の効能を失う。
【考案の概要】
【考案が解決しようとする課題】
【０００３】
既存のプッシュ型の自動ペンとプッシュ型の修正テープとのプッシュ構造は、その原理が基本的に同じで、現在、プッシュ型の修正テープのプッシュ構造を一例として、図１，２のように示して、それは、取付板１００と、ねじりと、ボタンとを含み、前記取付板１００は、押し口の伸縮方向に沿って、滑動する方式で筐体内に取り付けられて、前記ボダンの第一端は、押し口の伸縮方向に沿って、移動する方式で、筐体内に取り付けられて、前記ボダンの第二端は、筐体から伸び出して、修正テープの押し口は、前記取付板１００に取り付けられて、前記ボダンは、前記取付板１００の第二端に設けられて、前記ねじりは、筐体に設けられて、しかも、前記ねじりの第一アームは、前記取付板１００の他の一面と固定して、前記ねじりの第二アームは、前記取付板１００の第二端に延伸して、前記取付板１００の他の一面は、前記ねじりの第二アームの端部に伸び入り、いつでも前記取付板１００の移動によって、その内部に滑動するための滑動レール１０１を凹設して、しかも前記滑動レール１０１内は、押し口の作業に筐体から伸び出ししていた時、ねじりの第二アームの端部を固定するためのストッパー１０２を設けて、前記ストッパー１０２の上面の下は、ねじりの第二アームを内部にフックするための位置決め溝１０２aを設けて、前記滑動レール１０１の内は、前記位置決め溝１０２aと相対に設置しているV字状のガイドブロック１０１aを設ける。このプッシュ構造は、ねじりの第二アームの端部を前記滑動レール１０１の内で滑動させるために、前記滑動レール１０１の内は、前記ねじりの第二アームの端面と接触している第一ガイド界面１０３と、第二ガイド界面１０４と、第三ガイド界面１０５と、第四ガイド界面１０６とを設けなければならず、ボダンのプッシュ方向を上下方向として、前記第一ガイド界面１０３は、下から上向きに傾斜している傾斜面となって、しかも前記ストッパー１０２の右側に位置して、前記第二ガイド界面１０４は、上から下向きに傾斜している傾斜面となって、しかも前記第二ガイド界面１０４は、前記第一ガイド界面１０３より低い、前記第三ガイド界面１０５は、下から上向きに傾斜している傾斜面となって、しかも前記第三ガイド界面１０５は、前記第二ガイド界面１０４より低い、前記第二ガイド界面１０４と前記第三ガイド界面１０５は、前記ストッパー１０２の上方に位置して、前記第二ガイド界面１０４の下端と前記第三ガイド界面１０５の下端は、位置決め溝１０２a内に位置して、前記位置決め溝１０２aの底部は、前記第三ガイド界面１０５の処に配置して、前記第四ガイド界面１０６は、上から下向きに傾斜している傾斜面となって、しかも前記第四ガイド界面１０６は、前記第一ガイド界面１０３よりも高い、前記第四ガイド界面１０６は、前記ストッパー１０２の左側に位置して、ねじりの第二アームの軸心線は、位置決め溝１０２a底部の左側に位置する。
【０００４】
プッシュしている時、ボタンを押し下げ、前記取付板１００は、下へ移動して、ねじり第一アームは下圧変形して、前記取付板１００に沿っている下向き移動のストッパー１０２は、ねじりの第二アームを止めているため、前記ねじりの第二アームを右方向に向き変形して、その時、前記取付板１００に沿っている下向き移動のことによって、前記ねじりの第二アームの端部と前記第一ガイド界面との摩擦力を利用して、前記ねじりの第二アームの端部は、前記第一ガイド界面１０３に沿って上向き摩擦して、第二ガイド界面１０４の処に移動されている時、前記ストッパー１０２は、前記ねじりの第二アームに対する押し付けることを解除して、そして、前記ねじりの第二アームは、左へ復帰して、直接に前記第二ガイド界面１０４内に移動して、この時、ボタンを解除して、前記ねじりの第一アームは、上へ復帰して、前記取付板１００は、上へ移動して、前記取付板１００の上向き移動することによって、前記ねじりの第二アームは、第二ガイド界面１０４を摩擦して、前記第二ガイド界面１０４に沿って摩擦し前記第三ガイド界面１０５の処に滑り込み、位置決め溝１０２aの底部にフックして、即ち、押し口は、筐体から伸び出すように固定する。再び、プッシュする時、前記ねじりの第一アームは、下向き圧力を受けて変形して、前記取付板１００は、再び下へ移動して、前記ねじりの第二アームは、V字状のガイドブロック１０１aの圧縮で左方向へ変形して、前記ねじりの第二アームは、前記第三ガイド界面１０５から前記第四ガイド界面１０６の処に滑り込み、この時、ボタンを解除して、前記ねじりの第一アームは、上へ向き復帰して、前記取付板１００は、上へ移動して、前記ねじりの第二アームの復帰で前記ねじりの第二アームは、前記第四ガイド界面１０６に沿って摩擦して前記第一ガイド界面１０３の処に移動して、即ち、押し口は、筐体内に引き込まれるように固定する。それによって、前記取付板１００は、上下に移動して、前記ねじりの第二アームの端部は、各のガイド界面に対して摩耗を行って、長期に使用してから、前記第三ガイド界面１０５と前記第四ガイド界面１０６との間にあるトランジションガイド界面に対して、容易に摩耗したため、再び、ボタンをプッシュしている時、前記ねじりの第二アームは、前記第四ガイド界面１０６の処に移行することができなく、前記第三ガイド界面１０５の処に滑り込み、前記取付板１００を再び復帰して移動させない。更に、プッシュ結構機能の障害を引き起こし、普通に100回押した後、プッシュ結構は、故障し、使用寿命が短い、同時に各のガイド界面の取付は、取付板の結構を複雑させて、成型が容易ではありません。
【課題を解決するための手段】
【０００５】
本考案の主な目的は、プッシュ型文房具のプッシュ構造を提供して、それは、５００回以上のプッシュ回数を達すことができて、使用寿命が長い、その取付板の結構もより容易になることができる。
【０００６】
本考案は上記目的を達成するために、下記の解決方案を提供する。
【０００７】
平面移動式の活動で文房具の筐体に設けられて、弾性部は、取付設置を固定して、取付板の移動方向が、上下方向となって、ボダンと取付板の上端は、相互に接続して、しかもボダンの部分は、文房具の筐体から伸びだして、取付板の正面上端或いは背面上端は、凹キャビティを凹設して、前記取付板は、前記凹キャビティ内に位置してストッパーを凸設して、前記ストッパーの外側は、前記凹キャビティの凹溝部壁と閉じた環状結構のスライドレールを形成して、前記ストッパー頂面の下に定位凹溝を設ける。前記弾性部材は、前記取付板の下移動について上下方向で変形を発生したスプリングと、前記取付板の下移動について左右方向で変形を発生した弾性ロッドとを含み、前記取付板は、前記取付板の下移動に対応してスプリングの伸縮方式を制御して、前記スプリングと相互に接続して、前記弾性ロッドは、上下方向に沿って、垂直に立設されて、前記ストッパーは、前記ストッパーの両側で位置している第一傾斜面と第二傾斜面を有して、前記第一傾斜面の傾斜方向が前記第二傾斜面の傾斜方向と同じで、前記第一傾斜面の下端部と前記第二傾斜面の下端部は、前記弾性ロッドの一側に位置して、前記第一傾斜面の上端部と前記第二傾斜面の上端部は、前記弾性ロッドの相対側に位置して、前記定位凹溝は、前記第一傾斜面の上端部と前記第二傾斜面の間で設けられて、前記弾性ロッドの上端部は、前記スライドレール内に位置してしかも前記取付板の下移動に対応してそれぞれに前記第一傾斜面の上端部と前記第二傾斜面と面と面でスライド接触を呈している接触部を含む。
【０００８】
前記取付板は、前記スライドレールの頂面に設けられて、下向きに前記定位凹溝へ向きのストッパーを凸設して、前記ストッパーの下端部は、前記定位凹溝に位置する。
【０００９】
前記ストッパーは、V字状の結構を呈する。
【００１０】
前記スプリングは、ねじりであり、前記ねじりは、文房具の筐体に設けられて固定して、前記取付板の上にねじりの第一アームの上方に位置されているが押合ブロックが凸設されて、前記ねじりの第二アームは、取付板の左右方向に沿って平行に設置されて、前記ねじりの第二アームの端部は、上向き延伸して、前記ねじりの第二アームと垂直に設置していた延伸アームを設けて、前記延伸アームは、前記弾性ロッドとなって、前記接触部は、クロスバーとなって、前記クロスバーは、前記延伸アームの上端部と垂直に設けられて、しかも、前記クロスバーは、取付板の前後方向に沿って、延伸して設けられる。
【００１１】
前記スプリングは、柱状なねじりであり、前記柱状なねじりは、取付板の上下方向に沿って、延伸して設置して、前記柱状なねじりは、文房具の筐体に設けられて固定して、前記取付板は、前記柱状なねじりの上端部に対応して設置されている押しブロックを凸設しており、前記柱状なねじりの下端部は、上向き延伸して、延伸アームを設けて、前記延伸アームは、前記弾性ロッドとなって、前記接触部は、クロスバーとなって、前記クロスバーは、前記延伸アームの上端部と垂直に設けられて、しかも、前記クロスバーは、取付板の前後方向の沿って、延伸して設けられる。
【００１２】
前記スプリングは、柱状なねじりであり、前記柱状なねじりは、取付板の上下方向に沿って、延伸して設置して、前記柱状なねじりは、文房具の筐体に設けられて固定して、前記取付板は、前記柱状なねじりの上端部に対応して設置されている押しブロックを凸設しており、前記弾性ロッドは、取付板の上下方向に延伸して設置したプラスチック弾骨となって、前記プラスチック弾骨の下端部は、文房具の筐体に固定されて、前記プラスチック弾骨の上端部は、接触ブロックを凸設してあり、前記接触ブロックは、前記接触部となって、前記接触ブロックには、前記第一傾斜面と対応して接触している第一ガイド傾斜面と前記第二傾斜面と対応して接触している第二ガイド傾斜面とを設ける。
【００１３】
前記スプリングは、柱状なねじりであり、前記柱状なねじりは、前記取付け板の下方に設置されて、しかも前記柱状なねじりの両端端部は、前記柱状なねじりの下端部に設置されて、前記柱状なねじりの第一端部は、文房具の筐体に対応して固定して、前記柱状なねじりの第二端部は、上向き延伸して延伸アームを有して、前記延伸アームは、前記弾性ロッドとなって、前記接触部は、クロスバーとなって、前記クロスバーは、前記延伸アームの上端部と垂直に設けられて、しかも、前記クロスバーは、取付板の前後方向に沿って、延伸して設けられる。
【００１４】
上述した方案を採用してから、本考案は、プッシュ型文房具のプッシュ構造に関して、ボタンを押し下げ、取付板は、下へ移動して、取付板の下向き移動でスプリングを圧縮させて、しかもストッパーの第一傾斜面は、弾性ロッドの接触部とお互いに接触して、この時、取付板の再下移について、接触部は、第一傾斜面の影響で前記弾性ロッドを左へ或いは右へ向き変形させて、前記接触部は、前記第一傾斜面を通って、前記弾性ロッドを解除して、前記弾性ロッドは、左へ或いは右へ向き復帰して、同時に、手を離れて、スプリングが復帰して、取付板が上へ移動して、取付板の上移動と弾性ロッドの復帰を利用して、前記接触部を前記定位凹溝に入らせて、しかも前記定位凹溝の一側の制限で、前記定位凹溝に固定されて、前記取付板が上移動を停止しており、この時、前記取付板下の接続部件が、固定状態を呈することができて、文房具の筐体に伸び出す。同時に、前記第一傾斜面と第二傾斜面との下端は、弾性ロッドの一側で、即ち弾性ロッドの左側或いは右側で設置されて、前記第一傾斜面の上端と第二傾斜面との上端は、弾性ロッドの相対側で、即ち弾性ロッドの右側或いは左側で設置されて、弾性ロッドの中心軸線は、前記定位凹溝の一側からずれて、このように、前記接触部は、前記定位凹溝の溝壁の制限で、左向き或いは右向き変形することを呈して、完全に復帰状態を呈することではない。再び、ボタンを押下した時、スプリングが再び圧縮されて、取付板の下向き移動で前記接触部を前記定位凹溝の上方に設置させて、前記接触部が解放されて、前記弾性ロッドの右向き或いは左向きは、完全に復帰して、前記弾性ロッドの完全復帰は、前記接触部を前記第二傾斜面の上方に設置させて、同時に、手を離れて、スプリングが復帰して、取付板が上へ移動して、前記取付板の上移動は、前記接触部を前記第二傾斜面と接触させて、前記第二傾斜面のスロープによって影響を受けて、前記弾性ロッドを前記取付板の上移動で相応に右向き或いは左向き変形させて、前記接触部は、前記第二傾斜面の底部を越えている時、前記弾性ロッドは、完全に左向き或いは右向き解放して、前記弾性ロッドは、元の位置に戻って、前記取付板下端の部件は、固定状態を呈して、文房具の筐体に伸縮される。現有の技術と比べて、前記弾性ロッドと、前記ストッパーと、前記定位凹溝との位置関係を利用して、前記接触部を前記スライドレールにか滑らせて、それは、ただ前記弾性ロッドの弾性によって実現できる。スライドレール内底部に対する摩擦に頼らずに、スライドレールに滑られることができて、従来のプッシュ機構の中に、スライドレール内底部に生じた摩耗で、プッシュ機能の失効問題を回避できて、使用寿命も長くて、押す寿命は500回以上を達することができて、スライドレールに任意のガイド階段を設ける必要はありません。それによって、取付板の構造は、簡単で、成型も容易で、同時に、接触部とストッパーは、面と面接触することを呈して、接触面積が大きくなるため、ストッパーが、接触部の摩耗影響を受けにくいです。
【図面の簡単な説明】
【００１５】
【図１】伝統的なプッシュ型修正テープのプッシュ機構にある取付板の結構を示す図である。
【図２】伝統的なプッシュ型修正テープのプッシュ機構にある取付板の他角度の結構を示す図である。
【図３】本考案の第一実施形態の結構を示す図である。
【図４】本考案の第一実施形態に関わる弾性部件の取付を示す図である。
【図５】本考案の第二実施形態の結構を示す図である。
【図６】本考案の第三実施形態の結構を示す図である。
【図７】本考案の第三実施形態に関わる弾性ロッドが修正テープの筐体に取り付けることを示す図である。
【図８】本考案の第四実施形態の結構を示す図である。
【図９】本考案の第四実施形態が、自動ペンに応用される取付ることを示す図である。
【図１０】本考案の第四実施形態が使用する時の結構を示す図である。
【考案を実施するための形態】
【００１６】
さらに、本考案に関わる技術方案を理解させるために、以下の具体的な実施形態によって本考案を詳細に説明する。
本考案は、プッシュ型文房具のプッシュ構造であって、それに関わる実施例は、図３，４に示すように、取付板１と弾性部件とを含み、前記取付板１は、移動の方式で活動して文房具の筐体に設けられて、この文房具の筐体は、修正テープの筐体２００であて、前記取付板１の取付方式は、伝統なペン式の修正テープの取付板の取付方式と同じで、ここに説明しない。修正テープの押し口３００の収縮方向は、上下方向となって、前記取付板１の上端は、修正テープの筐体２００に突出しているボタン４００を設けて、前記取付板１の正面上端は、凹キャビティ１１を凹設して、前記取付板１の正面は、前記凹キャビティ１１内に位置してストッパー１２を凸設して、前記ストッパー１２の外側は、前記凹キャビティ１１の凹溝部壁と閉じた環状結構のスライドレールを形成して、前記ストッパー１２頂面の下に定位凹溝１２１を設ける。
【００１７】
本考案の技術革新は、次のとおりです。前記ストッパー１２は、前記ストッパー１２の両側で位置している第一傾斜面１２２と第二傾斜面１２３を有して、前記第一傾斜面１２２は、前記ストッパー１２の左側に位置して、前記第二傾斜面１２３は、前記ストッパー１２の右側に位置して、前記第一傾斜面１２２は、傾斜上向きの傾斜面を呈して、しかも前記第一傾斜面１２２の上端は、前記第一傾斜面１２２の下端の右側に位置して、前記第二傾斜面１２３は、傾斜上向きの傾斜面を呈して、しかも前記第一傾斜面１２２の傾斜方向が前記第二傾斜面１２３の傾斜方向と同じで、前記定位凹溝１２１は、前記第一傾斜面１２２の上端部と前記第二傾斜面１２３の上端部と間で位置する。
【００１８】
前記弾性部材は、前記取付板１の下移動について上下方向で変形を発生したスプリング２と、前記取付板１の下移動について左右方向で変形を発生した弾性ロッド３とを含み、前記弾性ロッド３は、上下方向に沿って、垂直に立設されて、前記第一傾斜面１２２の下端部と前記第二傾斜面１２３の下端部は、共に前記弾性ロッド３の左側上方に位置して、前記第一傾斜面１２２の上端部と前記第二傾斜面１２３の上端部は、共に前記弾性ロッド３の右側に位置して、即ちに、前記弾性ロッド３の中心軸線は、前記定位凹溝１２１の左側に位置して、前記弾性ロッド３の上端部は、前記スライドレール内に位置して、しかも前記取付板１の下移動に対応してそれぞれに前記第一傾斜面１２２と前記第二傾斜面１２３と、面と面でスライド接触を呈している接触部４を含み、しかも、前記弾性ロッド３の中心軸線は、前記第一傾斜面１２２の下部とともに前記定位凹溝１２１の左側に位置して、前記第二傾斜面１２３の上部は、前記定位凹溝１２１と共に、記弾性ロッド３の中心軸線の右側に位置する。好ましくは、前記スプリング２は、ねじりであり、前記ねじりは、修正テープの筐体２００前側の内表面に取付けられて固定して、即ち、修正テープの筐体２００前側の内表面には、定位柱２０１を凸設して、前記ねじりは、前記定位柱２０１の外に設置されて、しかも前記ねじりの第一アームは、上向き傾斜を呈して設置して、下向き傾斜も呈して設置して、前記ねじりの第二アームは、取付板１の左右方向に沿って平行に設置されて、しかも、前記取付板１の上にねじりの第一アームの上方に位置されているが押合ブロック１３が凸設されて、前記ねじりの第二アームは、上向き延伸して、前記ねじりの第二アームと垂直に設置していた延伸アームを設けて、前記延伸アームは、前記弾性ロッド３となって、前記接触部４は、クロスバーとなって、前記クロスバーは、前記延伸アームの上端部と垂直に設けられて、しかも、前記クロスバーは、取付板１の前後方向に沿って、延伸して設けられる。
【００１９】
前記取付板１は、前記スライドレールの頂面に設けられて、下向きに前記定位凹溝１２１へ向きのバンプトップ１４を凸設して、前記バンプトップ１４は、V字状の結構を呈して、しかも前記バンプトップ１４のシャープ部は、前記定位凹溝１２１内に位置する。
【００２０】
本考案は、プッシュ型文房具のプッシュ構造であって、最初にボダン４００を押していた時、前記取付板１が下向き移動して、前記取付板１の下移動で前記ねじりの第一アームが前記押合ブロック１３の下移動のことにより押出されて変形して、しかも前記ストッパー１２の前記第一傾斜面１２２の下端は、前記接触部４と、面と面との接触することを呈して、この時、前記取付板１が再び下向き移動していることについて、前記第一傾斜面１２２の上端は、下端に向き下移動して、前記第一傾斜面１２２上端の下移動で、前記接触部４が右向き押出されて、前記弾性ロッド３は、右向き変形を発生して、前記第一傾斜面１２２の上端は、前記接触部４を越えている時、前記接触部４が解放されて、前記弾性ロッド３が解放されて、前記弾性ロッド３は、左向き復帰して、前記弾性ロッド３の左向き復帰する時、前記接触部４が前記バンプトップ１４の制限で、完全に左向き復帰することではない。同時に、前記ボダン４００を離して、前記ねじりの第一アームが解放されて、前記ねじりの第一アームは、上へ復帰して、前記ねじりの第一アームの上へ向き復帰することは、前記取付板１を上へ移動させて、前記取付板１の上移動で前記接触部４が前記バンプトップ１４と相互に分離して、前記弾性ロッド３は、左向き復帰を行い続け、同時に、前記定位凹溝１２１は、前記接触部４に移動して、前記接触部４は、前記定位凹溝１２１に位置して、前記定位凹溝１２１の左溝壁の限りで制限されて左向き変形して、前記定位凹溝１２１に固定されて、しかも前記定位凹溝１２１の溝底内にフックされて、前記取付板１の上移動が制限されて、この時、前記取付板１の下端に設けられた押し口３００は、修正テープの筐体から伸び出すように固定な状態を呈して、同時に、前記弾性ロッド３の中心軸線は、前記定位凹溝１２１の左側に位置しているため、前記弾性ロッド３は、前記定位凹溝１２１内で前記定位凹溝１２１の左溝壁の限りで右向き変形している形態を呈して、左向き復帰することではない。再び前記ボダン４００をプッシュする時、前記ねじりの第一アームは、再び圧縮されて、前記取付板１が、下へ移動して、前記取付板１の下移動で、前記定位凹溝１２１を前記接触部４に位置させて、前記接触部４が解放されて、前記弾性ロッド３は、左向き続き完全に復帰するまで、前記接触部４は、第二傾斜面１２３の上部に位置して、この時、ボタン４００を解除して、前記ねじりの第一アームは、復帰して、前記取付板１は、上へ移動して、前記取付板１の上移動で、前記接触部４を前記第二傾斜面１２３と接触させて、前記第二傾斜面１２３は、下向き傾斜している傾斜面を呈して、前記第二傾斜面１２３の上端は、前記第二傾斜面１２３の下端の右側に位置して、前記取付板１の上移動することについて、前記接触部４は、前記第二傾斜面１２３の下部が左向きの圧縮で、前記弾性ロッド３は、左向き変形して、前記第二傾斜面１２３の下端は、前記接触部４の上方に位置している時位、前記弾性ロッド３は、解放されて、右向き復帰して、前記弾性ロッド３の復帰は、前記接触部４を元の位置に戻らせて、前記ねじりの第一アームは、前記取付板１を支えて、前記取付板１にある押し口３００は、修正テープの筐体２００内に引き込まれるように固定することを呈する。現有の技術と比べて、前記弾性ロッド３と、前記ストッパー１２と、前記定位凹溝１２１との位置関係で、前記接触部４は、スライドレール内のスライドがただ前記弾性ロッド３の弾性で実現することができて、スライドレール内にある底面の摩擦を必要がなく、スライドレール内スライドすることできるため、伝統なプッシュ機構にスライドレール内にある底面の摩耗でプッシュ機能を失効させる問題を防止できて、使用寿命が長くて、プッシュ寿命は、５００回以上のプッシュ回数を達すことができて、しかも、スライドレール内に任意のガイド階段を設ける必要はないため、取付板の構造は、簡単で、成型も容易で、同時に、前記接触部４と前記ストッパー１２と前記バンプトップ１４との接触面は、面と面接触することを呈して、接触面積が大きくなるため、前記ストッパー１２が、前記接触部４と前記ストッパー１２と前記バンプトップ１４との相対な摩耗が、より小さく、それによって、プッシュ機能を失効させない。前記バンプトップ１４を通って、前記接触部４が、いつでも前記定位凹溝１２１に収まれるのを保証できて、前記弾性ロッド３が復帰している時、前記接触部４が直接に前記定位凹溝１２１を越えて前記第二傾斜面１２３の処に入る問題を防止して、しかも、前記バンプトップ１４のV字状の結構を通って、前記接触部４に対して、前記定位凹溝１２１をガイドさせる。
第２の実施例
【００２１】
本考案は、プッシュ型文房具のプッシュ構造であって、それはプッシュ型の修正テープに関わる第２の実施例であて、図５に示すように、この第２の実施例が、第１の実施例との区別は、スプリングの結構となって、前記スプリングは、柱状なねじり５であり、この修正テープの筐体の内表面には、柱状なねじりを固定するための取付柱を有して、前記柱状なねじり５は、取付板１の上下方向に沿って延伸して設置して、前記取付板１は、前記柱状なねじり５の上端部に位置している押しブロック１５を凸設して、前記取付板１が、下向き移動している時、前記押しブロック１５は、前記柱状なねじり５を押付けて、その原理は、前記ねじりの第一アームに対して押付けるの原理と同じで、前記柱状なねじり５の下端部は、上向き延伸して、延伸アーム５１を設けて、前記延伸アーム５１は、即ち、前記弾性ロッドとなって、この第２の実施例にある接触部の結構は、第１の実施例にある接触部の結構と同じで、この結構のスプリングもねじりと同様に同じな機能を実現できるため、ここに説明しない。
第３の実施例
【００２２】
本考案は、プッシュ型文房具のプッシュ構造であって、それはプッシュ型の修正テープに関わる第３の実施例であて、図６，７に示すように、この第３の実施例が、第２の実施例との区別は、弾性ロッドと接触部であって、即ちスプリングも、柱状なねじり５であり、具体的な区別は、前記弾性ロッドは、取付板の上下方向に延伸して設置したプラスチック弾骨６となって、プラスチック弾骨６は、プラスチックの材料で作られたロッドとなって、プラスチックの特性を利用して、一定な弾性変形を発生させて、前記プラスチック弾骨６は、柱状なねじりと分離設置して、しかも前記プラスチック弾骨６は、一体成型で修正テープの筐体２００の内側面で位置されて、前記プラスチック弾骨６の上端部は、接触ブロック６１を凸設してあり、前記接触ブロック６１は、第１の実施例にある接触部であって、前記接触ブロック６１の左側は、第一傾斜面２１２と対応して接触している第一ガイド傾斜面６１１を有して、前記接触ブロック６１の右側下部は、第二傾斜面２１３と対応して接触している第二ガイド傾斜面６１２を有して、前記プラスチック弾骨６は、前記接触ブロック６１と合わせて、第１の実施例にある弾性ロッドと接触部と同じな機能を実現できるため、ここには、説明しない。
第４の実施例
【００２３】
本考案は、プッシュ型文房具のプッシュ構造であって、それはプッシュ型の修正テープに関わる第４の実施例であて、図８，９に示すように、この第４の実施例が、第１の実施例との区別は、スプリングの取付であって、具体的には、前記スプリングも、柱状なねじり７であり、前記柱状なねじり７は、前記取付け板１の下方に設置されて、しかも前記柱状なねじり７の両端端部は、前記柱状なねじり７の下端部に設置されて、前記柱状なねじり７の第一端部は、文房具の筐体５００に対応して固定して、前記文房具の筐体５００の内壁は、前記柱状なねじり７の第一端端部を固定するためのフックな凸ブロック（図に示さず）を凸設して、前記柱状なねじり７の第二端端部は、上向き延伸して延伸アーム７１を有して、前記延伸アーム７１は、弾性ロッドとなって、前記延伸アーム７１の上端部は、一体成型で前記延伸アーム７１と垂直に設けられて、しかも、取付板１の前後方向に沿って延伸して、クロスバー７２を設けて、前記クロスバー７２は、接触部である。この結構のプッシュ結構は、図１０のように、ボダンを押している時、取付部１が下向き移動して、前記取付部１の下移動で直接に前記柱状なねじり７を圧縮させて、前記前記柱状なねじり７の圧縮方式は、第１，２，３の実施例にある圧縮方式と同じな原理を有するため、ここに説明しない。
【００２４】
ここの実施例にあるプッシュ結構は、プッシュな自動ペンに適用できる。
【００２５】
上述した実施例と図面は、本考案の製品形態と仕様に限定されるものではありません。従って、本考案の特許請求の範囲は、このような変更や修正を含めて広く解釈されるべきである。
【００２６】
１取付板
１１凹キャビティ
１２ストッパー
１３押合ブロック
１４バンプトップ
１５押しブロック
１２１定位凹溝
１２２第一傾斜面
１２３第二傾斜面
２スプリング
２００修正テープの筐体
２０１定位柱
２１２第一傾斜面
２１３第二傾斜面
３弾性ロッド
３００押し口
４接触部
４００ボタン
５柱状なねじり
５１延伸アーム
５００文房具の筐体
６プラスチック弾骨
６１接触ブロック
６１１第一ガイド傾斜面
６１２第二ガイド傾斜面
７柱状なねじり
７１延伸アーム
７２クロスバー
【図１】
0003213814.tif 000003
【図２】
0003213814.tif 000004
【図３】
0003213814.tif 000005
【図４】
0003213814.tif 000006
【図５】
0003213814.tif 000007
【図６】
0003213814.tif 000008
【図７】
0003213814.tif 000009
【図８】
0003213814.tif 000010
【図９】
0003213814.tif 000011
【図１０】
0003213814.tif 000012